(57)【要約】【課題】光ディスクを用いた光ピックアップの検査において、光ディスクが有効に利用され、また光ピックアップの検査を的確に行えるようにする。【解決手段】光ディスクＤＫを回転させて、光ピックアップ２０により検査用データを光ディスクＤＫに記録し、光ディスクＤＫに記録した検査用データを光ピックアップ２０により再生し、前記再生による再生信号を評価して光ピックアップ２０を検査する。レーザ光の照射位置を光ディスクＤＫにおける検査用データの記録開始位置の少し手前の位置まで初期に移動させ、レーザ光の照射位置の初期移動後、１トラックずつレーザ光の照射位置をジャンプさせて、データの未記録のトラックを探す。複数トラックに記録した検査用データを１トラックずつ再生して評価する。また、両側のトラックに記録データがある場合と、無い場合とに分けて中央トラックの検査用データを再生して評価する。【選択図】  図１
2004280978.tif 000002
【特許請求の範囲】
【請求項１】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査装置において、
光ピックアップによるレーザ光の照射位置を光ディスクにおける検査用データの記録開始位置の少し手前の位置まで初期に移動させる初期移動手段と、
前記初期移動手段によるレーザ光の照射位置の移動後、光ピックアップによる記録データの再生信号に基づいて光ディスク上における記録データの存在を確認する記録データ確認手段と、
前記記録データ確認手段によって光ディスク上における記録データの存在が確認されなくなったとき、前記光ピックアップによる検査用データの光ディスクへの記録を開始させる記録開始制御手段と
を備えたことを特徴とする光ピックアップの検査装置。
【請求項２】
請求項１に記載した光ピックアップの検査装置において、
前記記録データ確認手段は、
光ディスクが１回転するごとに光ピックアップによるレーザ光の照射位置を１回転前の位置に戻すために１トラック分ジャンプさせる第１ジャンプ制御手段と、
前記第１ジャンプ制御手段によるジャンプ後のトラック上における記録データの再生信号の有無により記録データの存在を確認する判定手段と、
前記判定手段によって記録データの存在が確認されたとき光ピックアップによるレーザ光の照射位置を前記初期移動手段によるレーザ光の照射位置の移動方向と同一方向に１トラック分ジャンプさせる第２ジャンプ制御手段とを含む光ピックアップの検査装置。
【請求項３】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査装置において、
光ピックアップによるレーザ光の光ディスクに対する照射位置を１トラック分ジャンプさせる記録用ジャンプ制御手段と、
前記記録用ジャンプ制御手段によるジャンプ制御後、光ピックアップを制御して検査用データを前記ジャンプ後のトラックに記録させる記録制御手段と、
前記記録制御手段による検査用データの記録後、同検査用データを記録したトラックに光ピックアップによるレーザ光の照射位置をジャンプさせる再生用ジャンプ制御手段と、
前記再生用ジャンプ制御手段によるレーザ光の照射位置のジャンプ制御後、光ピックアップを制御して前記ジャンプ後のトラックに記録されている検査用データを前記再生信号の評価のために再生させる再生制御手段と、
前記記録用ジャンプ制御手段、記録制御手段、再生用ジャンプ制御手段および再生制御手段による各制御動作を繰り返し行わせる繰り返し制御手段と
を備えたことを特徴とする光ピックアップの検査装置。
【請求項４】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査装置において、
光ピックアップを制御して検査用データを光ディスクの複数トラックに連続して記録させる記録制御手段と、
前記記録制御手段による検査用データの記録後、光ピックアップを制御して前記記録した複数トラック分の検査用データを前記再生信号の評価のために１トラックずつ再生させる再生制御手段と
を備えたことを特徴とする光ピックアップの検査装置。
【請求項５】
請求項４に記載した光ピックアップの検査装置において、
前記再生制御手段は、
前記記録制御手段による検査用データの記録後、同検査用データの記録を開始したトラックに光ピックアップによるレーザ光の照射位置をジャンプさせる再生開始用ジャンプ制御手段と、
前記再生開始用ジャンプ制御手段によるジャンプ制御後、光ディスクから検査用データを１トラック分再生するごとに、光ピックアップによるレーザ光の照射位置を前記再生開始用ジャンプ制御手段によるジャンプ方向と反対方向に１トラックずつジャンプさせる再生用ジャンプ制御手段とを含む光ピックアップの検査装置。
【請求項６】
請求項３ないし５のうちのいずれか一つに記載した光ピックアップの検査装置において、さらに、
光ピックアップによるレーザ光の照射位置を光ディスクにおける検査用データの記録開始位置の少し手前の位置まで初期に移動させる初期移動手段と、
前記初期移動手段によるレーザ光の照射位置の移動後、光ピックアップによる記録データの再生信号に基づいて光ディスク上における記録データの存在を確認する記録データ確認手段とを備え、
前記記録データ確認手段によって光ディスク上における記録データの存在が確認されなくなったとき、前記記録制御手段による光ピックアップによる検査用データの光ディスクへの初期の記録を開始させるようにした光ピックアップの検査装置。
【請求項７】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査装置において、
光ピックアップを制御して検査用データを光ディスクのトラックに記録させる第１記録制御手段と、
前記第１記録制御手段による検査用データの記録後、光ピックアップを制御して前記第１記録制御手段によって記録された検査用データを前記再生信号の評価のために再生させる第１再生制御手段と、
前記第１再生制御手段による検査用データの再生後、光ピックアップを制御して前記第１記録制御手段によって検査用データを記録したトラックの両側に位置する光ディスクのトラックにデータを記録する第２記録制御手段と、
前記第２記録制御手段によるデータの記録後、光ピックアップを制御して前記第１記録制御手段によって記録された検査用データを前記再生信号の評価のために再生させる第２再生制御手段と
を備えたことを特徴とする光ピックアップの検査装置。
【請求項８】
請求項７に記載した光ピックアップの検査装置において、さらに、
光ピックアップによるレーザ光の照射位置を光ディスクにおける検査用データの記録開始位置の少し手前の位置まで初期に移動させる初期移動手段と、
前記初期移動手段によるレーザ光の照射位置の移動後、光ピックアップによる記録データの再生信号に基づいて光ディスク上の少なくとも連続した３トラックに記録データが存在しないことを確認する記録データ確認手段とを備え、
前記第１記録制御手段は前記記録データの存在しない３トラックの中央のトラックに検査用データを記録するようにした光ピックアップの検査装置。
【請求項９】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査方法において、
光ピックアップによるレーザ光の照射位置を光ディスクにおける検査用データの記録開始位置の少し手前の位置まで初期に移動させる初期移動ステップと、
前記初期移動ステップによるレーザ光の照射位置の移動後、光ピックアップによる記録データの再生信号に基づいて光ディスク上における記録データの存在を確認する記録データ確認ステップと、
前記記録データ確認ステップによって光ディスク上における記録データの存在が確認されなくなったとき、前記光ピックアップによる検査用データの光ディスクへの記録を開始させる記録開始制御ステップと
を含むことを特徴とする光ピックアップの検査方法。
【請求項１０】
請求項９に記載した光ピックアップの検査方法において、
前記記録データ確認ステップは、
光ディスクが１回転するごとに光ピックアップによるレーザ光の照射位置を１回転前の位置に戻すために１トラック分ジャンプさせる第１ジャンプ制御ステップと、
前記第１ジャンプ制御ステップによるジャンプ後のトラック上における記録データの再生信号の有無により記録データの存在を確認する判定ステップと、
前記判定ステップによって記録データの存在が確認されたとき光ピックアップによるレーザ光の照射位置を前記初期移動ステップによるレーザ光の照射位置の移動方向と同一方向に１トラック分ジャンプさせる第２ジャンプ制御ステップとを含む光ピックアップの検査方法。
【請求項１１】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査方法において、
光ピックアップによるレーザ光の光ディスクに対する照射位置を１トラック分ジャンプさせる記録用ジャンプ制御ステップと、
前記記録用ジャンプ制御ステップによるジャンプ制御後、光ピックアップを制御して検査用データを前記ジャンプ後のトラックに記録させる記録制御ステップと、
前記記録制御ステップによる検査用データの記録後、同検査用データを記録したトラックに光ピックアップによるレーザ光の照射位置をジャンプさせる再生用ジャンプ制御ステップと、
前記再生用ジャンプ制御ステップによるジャンプ制御後、光ピックアップを制御して前記ジャンプ後のトラックに記録されている検査用データを前記再生信号の評価のために再生させる再生制御ステップと、
前記記録用ジャンプ制御ステップ、記録制御ステップ、再生用ジャンプ制御ステップおよび再生制御ステップを繰り返し行わせる繰り返し制御ステップと
を含むことを特徴とする光ピックアップの検査方法。
【請求項１２】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査方法において、
光ピックアップを制御して検査用データを光ディスクの複数トラックに連続して記録させる記録制御ステップと、
前記記録制御ステップによる検査用データの記録後、光ピックアップを制御して前記記録した複数トラック分の検査用データを前記再生信号の評価のために１トラックずつ再生させる再生制御ステップと
を含むことを特徴とする光ピックアップの検査方法。
【請求項１３】
請求項１２に記載した光ピックアップの検査方法において、
前記再生制御ステップは、
前記記録制御ステップによる検査用データの記録後、同検査用データの記録を開始したトラックに光ピックアップによるレーザ光の照射位置をジャンプさせる再生開始用ジャンプ制御ステップと、
前記再生開始用ジャンプ制御ステップによるジャンプ制御後、光ディスクから検査用データを１トラック分再生するごとに、光ピックアップによるレーザ光の照射位置を前記再生開始用ジャンプ制御ステップによるジャンプ方向と反対方向に１トラックずつジャンプさせる再生用ジャンプ制御ステップを含む光ピックアップの検査方法。
【請求項１４】
請求項１１ないし１３のうちのいずれか一つに記載した光ピックアップの検査方法において、さらに、
光ピックアップによるレーザ光の照射位置を光ディスクにおける検査用データの記録開始位置の少し手前の位置まで初期に移動させる初期移動ステップと、
前記初期移動ステップによるレーザ光の照射位置の移動後、光ピックアップによる記録データの再生信号に基づいて光ディスク上における記録データの存在を確認する記録データ確認ステップとを含み、
前記記録データ確認ステップによって光ディスク上における記録データの存在が確認されなくなったとき、前記記録制御ステップによる光ピックアップによる検査用データの光ディスクへの初期の記録を開始させるようにした光ピックアップの検査方法。
【請求項１５】
光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査方法において、
光ピックアップを制御して検査用データを光ディスクの１トラックに記録させる第１記録制御ステップと、
前記第１記録制御ステップによる検査用データの記録後、光ピックアップを制御して前記第１記録制御ステップによって記録された検査用データを前記再生信号の評価のために再生させる第１再生制御ステップと、
前記第１再生制御ステップによる検査用データの再生後、光ピックアップを制御して前記第１記録制御ステップによって検査用データを記録したトラックの両側に位置する光ディスクのトラックにデータを記録する第２記録制御ステップと、
前記第２記録制御ステップによるデータの記録後、光ピックアップを制御して前記第１記録制御ステップによって記録された検査用データを前記再生信号の評価のために再生させる第２再生制御ステップと
を含むことを特徴とする光ピックアップの検査方法。
【請求項１６】
請求項１５に記載した光ピックアップの検査方法において、さらに、
光ピックアップによるレーザ光の照射位置を光ディスクにおける検査用データの記録開始位置の少し手前の位置まで初期に移動させる初期移動ステップと、
前記初期移動ステップによるレーザ光の照射位置の移動後、光ピックアップによる記録データの再生信号に基づいて光ディスク上の少なくとも連続した３トラックに記録データが存在しないことを確認する記録データ確認ステップとを含み、
前記第１記録制御ステップは前記記録データの存在しない３トラックの中央のトラックに検査用データを記録するようにした光ピックアップの検査方法。
【発明の詳細な説明】
【０００１】
【発明の属する技術分野】
本発明は、ＣＤ，ＤＶＤなどの記録可能な光ディスクＤＫにデータを記録し、かつ同光ディスクに記録したデータを再生して、光ピックアップを検査する光ピックアップの検査装置および検査方法に関する。
【０００２】
【従来の技術】
従来から、光ディスクに検査用データを記録した後に、同記録データを再生して再生データを評価することにより光ピックアップを検査する検査装置は知られている（下記特許文献１を参照）。この検査装置においては、初期に光ピックアップによるレーザ光の照射位置を光ディスクの未記録部分に移動させ、次にトラッキングサーボを一旦オフした後に再度オンさせ、その後に設定時間だけ光ディスクに検査用データを記録する。そして、前記検査用データの記録後、トラッキングサーボを一旦オフした後に再度オンさせて、記録した検査用データを再生するようにしている。また、この特許文献１には、光ディスクのアドレスを読み込み、この読み込んだアドレスが予め決められたアドレスに達すると、レーザ光の照射位置を内周位置にジャンプさせて、常に同じ位置における特性を再現性良く検査できるようにすることも記載されている。
【０００３】
【特許文献１】
特開２００２−１９０１３４号公報
【０００４】
【発明が解決しようとする課題】
しかし、上記従来の装置においては、ライトワンス（１回のみ記録可能）の光ディスクを利用した場合、検査用データの記録の前にレーザ光の照射位置を移動する際、検査用データの記録位置が重ならないようにするために、前回の記録位置から余裕をもった位置までレーザ光の照射位置を移動しなければならない。このことは、光ディスクに検査用データの未記録領域を設けることを意味し、光ディスクの記録可能領域が消耗される。また、常時書き込み可能な光ディスクを用いた場合でも、検査用データの記録を繰り返し行うことにより、検査用データの記録および再生の精度が悪化するために、この場合も、光ディスクの記録可能領域が消耗される。
【０００５】
また、光ディスクのアドレスを検出可能な光ディスクを利用した場合、アドレスを検知し、この検知アドレスを用いて光ディスクに未記録領域を設けないように検査用データを記録することも考えられるが、この場合でも、アドレスの検出ミスの問題が残る。このアドレスの検出ミスの対策として、アドレスシーク時に複数回確認することが考えられるが、このようにすると検査時間が長くなって光ピックアップの検査効率が悪化する。また、アドレスの検出ミスの他の対策としては、前述のような検査用データの未記録領域を光ディスクに設けることも考えられるが、この場合には前述のように記録可能領域が消耗される。
【０００６】
また、上記従来の光ピックアップの検査装置にあっては、利用する光ディスク側にキズなどの不具合があると、光ピックアップの不良との区別ができず、光ピックアップの検査が的確に行われない。
【０００７】
さらに、光ピックアップによっては、隣接トラックにデータが記録されている場合と、記録されていない場合とで再生信号の評価結果が異なることがある。しかし、上記従来の光ピックアップの検査装置にあっては、隣接トラックのデータの有無とは無関係に再生信号が評価されるので、光ピックアップの検査が的確に行われない。
【０００８】
【発明の概略】
本発明は上記問題に対処するためになされたもので、その目的は、光ディスクを回転させて、光ピックアップにより検査用データを光ディスクに記録し、前記光ディスクに記録した検査用データを光ピックアップにより再生し、前記再生による再生信号を評価して光ピックアップを検査する光ピックアップの検査装置および検査方法において、光ディスクが有効に利用され、また光ピックアップの検査を的確に行えるようにすることにある。
【０００９】
前記目的を達成するために、本発明の特徴は、光ピックアップによるレーザ光の照射位置を光ディスクにおける検査用データの記録開始位置の少し手前の位置まで初期に移動させ、前記レーザ光の照射位置の初期移動後、光ピックアップによる記録データの再生信号に基づいて光ディスク上における記録データの存在を確認する。そして、前記確認によって光ディスク上における記録データの存在が確認されなくなったとき、光ピックアップによる検査用データの光ディスクへの記録を開始させるようにしたことにある。
【００１０】
この場合、前記記録データの確認を、例えば、光ディスクが１回転するごとに光ピックアップによるレーザ光の照射位置を１回転前の位置に戻すために１トラック分ジャンプさせ、前記ジャンプ後のトラック上における記録データの再生信号の有無により記録データの存在を確認する。そして、前記確認によって記録データの存在が確認されたときには、光ピックアップによるレーザ光の照射位置を前記初期のレーザ光の照射位置の移動方向と同一方向に１トラック分ジャンプさせるようにするとよい。
【００１１】
これによれば、検査用データは、既にデータが記録されているトラックの次のトラックから確実に記録されるので、光ディスクの記録可能領域が消耗されることが防止される。その結果、本発明によれば、光ピックアップの検査のために、光ディスクが有効に利用される。
【００１２】
また、本発明の他の特徴は、光ピックアップによるレーザ光の光ディスクに対する照射位置を１トラック分ジャンプさせ、光ピックアップを制御して検査用データを前記ジャンプ後のトラックに記録させる。前記検査用データの記録後、同検査用データを記録したトラックに光ピックアップによるレーザ光の照射位置をジャンプさせ、光ピックアップを制御して前記ジャンプ後のトラックに記録されている検査用データを再生信号の評価のために再生させる。そして、このような検査用データの記録動作および再生動作を繰り返し行う。
【００１３】
これによれば、１トラックごとに検査用データが再生されるので、利用する光ディスク側のキズなどの不具合と、光ピックアップの不良との区別を行うことができる。その結果、この本発明の他の特徴によれば、光ピックアップの検査が的確に行われるようになる。
【００１４】
また、本発明の他の特徴は、光ピックアップを制御して検査用データを光ディスクの複数トラックに連続して記録させる。その後、光ピックアップを制御して前記記録した複数トラック分の検査用データを再生信号の評価のために１トラックずつ再生させるようにしたことにある。
【００１５】
この場合、前記再生制御において、例えば、検査用データの記録を開始したトラックに光ピックアップによるレーザ光の照射位置をジャンプさせ、その後、光ディスクから検査用データを１トラック分再生するごとに、光ピックアップによるレーザ光の照射位置を再生開始用のジャンプによるジャンプ方向と反対方向に１トラックずつジャンプさせるようにするとよい。
【００１６】
これによっても、１トラックごとに検査用データが再生されるので、利用する光ディスク側のキズなどの不具合と、光ピックアップの不良との区別を行うことができる。その結果、この本発明の他の特徴によっても、光ピックアップの検査が的確に行われるようになる。
【００１７】
また、本発明の他の特徴は、前記１トラックずつの再生を行う検査において、さらに、光ピックアップによるレーザ光の照射位置を光ディスクにおける検査用データの記録開始位置の少し手前の位置まで初期に移動させ、光ピックアップによる記録データの再生信号に基づいて光ディスク上における記録データの存在を確認する。そして、前記確認によって光ディスク上における記録データの存在が確認されなくなったとき光ピックアップによる検査用データの光ディスクへの初期の記録を開始させる。
【００１８】
これによれば、前記光ディスク側のキズなどの不具合を除外した光ピックアップの的確な検査に加えて、前述した未記録領域の消耗の防止により、光ピックアップの検査に用いる光ディスクが有効に利用されるようにもなる。
【００１９】
また、本発明の他の特徴は、光ピックアップを制御して検査用データを光ディスクの１トラックに記録させ、光ピックアップを制御して前記記録した検査用データを再生信号の評価のために再生させる。その後、光ピックアップを制御して前記検査用データを記録したトラックの両側に位置する光ディスクのトラックにデータを記録させ、その後、光ピックアップを制御して前記再生したトラックに記録されている検査用データをふたたび再生信号の評価のために再生させる。
【００２０】
これによれば、隣接トラックにデータが記録されている場合と、記録されていない場合とで、検査用データが区別して再生される。これにより、光ピックアップは隣接トラックのデータの有無を考慮して検査されるので、光ピックアップの検査が的確に行われる。
【００２１】
また、本発明の他の特徴は、前記隣接トラックのデータの有無を考慮した光ピックアップの検査において、さらに、光ピックアップによるレーザ光の照射位置を光ディスクにおける検査用データの記録開始位置の少し手前の位置まで初期に移動させ、その後、光ピックアップによる記録データの再生信号に基づいて光ディスク上の少なくとも連続した３トラックに記録データが存在しないことを確認して、記録データの存在しない３トラックの中央のトラックに検査用データを記録するようにするとよい。
【００２２】
これにより、本発明によれば、前記隣接トラックのデータの有無に応じた光ピックアップの的確な検査に加えて、前述した未記録領域の消耗の防止により、光ピックアップの検査に用いる光ディスクが有効に利用されるようにもなる。
【００２３】
【実施の形態】
以下、本発明の一実施形態について図面を用いて説明すると、図１は、光ピックアップの検査装置の全体を検査対象である光ピックアップと共に示すブロック図である。
【００２４】
この検査装置は、エンコーダ１１ａを内蔵したスピンドルモータ１１を備えている。スピンドルモータ１１は、スピンドルモータ制御回路１２によって駆動制御されて、光ディスクＤＫが組み付けられる支持テーブル１３を回転駆動する。エンコーダ１１ａは、スピンドルモータ１１の回転すなわち支持テーブル１３（光ディスクＤＫ）の回転を検出するもので、図１１に示すように、支持テーブル１３（光ディスクＤＫ）の回転位置が基準回転位置に来るごとに基準信号であるインデックス信号ＩＮＤＥＸと、所定の微小な回転角度ずつハイレベルとローレベルとを繰返すパルス列信号からなる回転信号φＡ，φＢを出力する。なお、これらの回転信号φＡ，φＢの位相は互いにπ／２だけずれている。これらの信号ＩＮＤＥＸ，φＡ，φＢは、タイミング決定回路５４およびコンピュータ装置７０に供給される。インデックス信号ＩＮＤＥＸは、第１ジャンプ信号発生回路５１にも供給される。
【００２５】
また、このスピンドルモータ１１は、エンコーダ１１ａ及び支持テーブル１３と共に、フィードモータ１４、スクリューロッド１５および支持部材１６からなるフィード機構により光ディスクＤＫの径方向に駆動される。フィードモータ１４は、スレッドサーボ回路１７によって回転制御されて、スクリューロッド１５を回転させる。スクリューロッド１５は、支持部材１６に固着されているナット（図示しない）に螺合されている。これらスクリューロッド１５、支持部材１６およびナットは、ねじ機構を構成するものである。フィードモータ１４の回転により、支持部材１６は、スピンドルモータ１１などと共にスクリューロッド１５の軸線方向すなわち光ディスクＤＫの径方向に変位する。
【００２６】
フィードモータ１４にも、前述したエンコーダ１１ａと同様なエンコーダ１４ａが内蔵されている。このエンコーダ１４ａも、インデックス信号ＩＮＤＥＸおよび回転信号φＡ，φＢをスレッドサーボ回路１７およびコンピュータ装置７０に出力する。
【００２７】
ここで、この検査装置に組み付けられる検査対象である光ピックアップ２０について説明しておく。光ピックアップ２０は、ＣＤ，ＤＶＤなどの記録可能な光ディスクＤＫにデータを記録するとともに、同光ディスクＤＫに記録されたデータを再生するものである。光ピックアップ２０は、レーザ光源２１、コリメートレンズ（例えば、グレーティングレンズとの複合）２２、偏光ビームスプリッタ２３、１／４波長板２４、対物レンズ２５、集光レンズ２６、シリンドリカルレンズ２７及び４分割フォトディテクタ２８を備えている。そして、この光ピックアップ２０においては、レーザ光源２１からのレーザ光を、コリメートレンズ２２、偏光ビームスプリッタ２３、１／４波長板２４及び対物レンズ２５を介して光ディスクＤＫに照射し、同光ディスクＤＫからの反射光を、対物レンズ２５、１／４波長板２４、偏光ビームスプリッタ２３、集光レンズ２６及びシリンドリカルレンズ２７を介して４分割フォトディテクタ２８で受光して、光ディスクＤＫの信号記録状態を表す受光信号を出力するようになっている。
【００２８】
この場合、４分割フォトディテクタ２８は、図２に示すように、光ディスクＤＫからの反射光の光軸に直交する平面内に配置された４個のフォトディテクタ素子２８ａ，２８ｂ，２８ｃ，２８ｄからなる。これらの４個のフォトディテクタ素子２８ａ，２８ｂ，２８ｃ，２８ｄは、各分割線で区切られた４つの同一正方形状に形成されており、受光量に比例した検出信号Ａ，Ｂ，Ｃ，Ｄをそれぞれ受光信号として出力する。なお、フォトディテクタ素子２８ａとフォトディテクタ素子２８ｄとを結ぶ方向（フォトディテクタ素子２８ｂとフォトディテクタ素子２８ｃとを結ぶ方向に同じ）が、光ディスクＤＫの径方向に対応している。
【００２９】
レーザ光源２１には、レーザ光源２１を駆動するためのレーザ駆動回路３１が接続されている。レーザ駆動回路３１には、レーザパワー設定回路３２および記録信号生成回路３３が接続されている。レーザパワー設定回路３２は、コンピュータ装置７０からの指令に応じてレーザ駆動回路３１を制御して、レーザ光源２１の作動および停止を制御するとともに、作動時におけるレーザの出射パワーを記録用のハイパワーと再生用のローパワーに切換える。記録信号生成回路３３は、コンピュータ装置７０からの指令に応じて、コンピュータ装置７０からの検査用データに対応した記録用信号を生成して、記録用信号をレーザ駆動回路３１に出力することによってレーザ光源２１を記録用信号に対応させてオン・オフ動作させる。
【００３０】
４分割フォトディテクタ２８のフォトディテクタ素子２８ａ，２８ｂ，２８ｃ，２８ｄによる検出信号Ａ，Ｂ，Ｃ，Ｄは、ＨＦ信号増幅回路４１を介してフォーカスエラー信号生成回路４２およびトラッキングエラー信号生成回路４３に供給される。フォーカスエラー信号生成回路４２は、検出信号Ａ，Ｃの合算値Ａ＋Ｃから検出信号Ｂ，Ｄの合算値Ｂ＋Ｄを減算した値（Ａ＋Ｃ）−（Ｂ＋Ｄ）を表す非点収差法によるフォーカスエラー信号を生成して、同エラー信号をフォーカスサーボ回路４４に供給する。フォーカスサーボ回路４４は、このフォーカスエラー信号をドライブ回路４５に供給して、対物レンズ２５を光軸方向に駆動するためのフォーカスアクチュエータ２９ａをフォーカスサーボ制御する。これにより、レーザ光の焦点が光ディスクＤＫの記録層に追従するように制御される。
【００３１】
トラッキングエラー信号生成回路４３は、フォトディテクタ素子２８ａ，２８ｂからの検出信号Ａ，Ｂの合算値Ａ＋Ｂから、フォトディテクタ素子２８ｃ，２８ｄからの検出信号Ｃ，Ｄの合算値Ｃ＋Ｄを減算した値（Ａ＋Ｂ）−（Ｃ＋Ｄ）を表すトラッキングエラー信号をトラッキングサーボ回路４６に供給する。トラッキングサーボ回路４６は、このトラッキングエラー信号を加算器４７を介してドライブ回路４８に供給して、対物レンズ２５をトラッキング方向（光ディスクＤＫの径方向）に駆動するためのトラッキングアクチュエータ２９ｂをトラッキングサーボ制御する。これにより、光ディスクＤＫに対するレーザ光の照射位置が、光ディスクＤＫの径方向に振動しながらトラックを追従するように制御される。
【００３２】
また、加算器４７の出力は、スレッドサーボ回路１７にも供給される。スレッドサーボ回路１７は、入力信号から直流成分を抽出する直流成分抽出回路を含み、抽出した直流成分が「０」になるようにフィードモータ１４をサーボ制御する。したがって、光ディスクＤＫは、スピンドルモータ１１及び支持テーブル１３と共に、対物レンズ２５に対して径方向に相対移動する。その結果、フィードモータ１４が対物レンズ２５と光ディスクＤＫの相対位置を大きくかつゆっくりと変更しながら、トラックアクチュエータ２９ｂが対物レンズ２５を常にほぼ中立位置を中心に振動させることにより、光ディスクＤＫに対するレーザ光の照射位置がトラックを正確に追従するように制御される。
【００３３】
また、このスレッドサーボ回路１７は、エンコーダ１４ａによって検出されたインデックス信号ＩＮＤＥＸおよび回転信号φＡ，φＢを入力するとともに、コンピュータ装置７０にも接続されている。このスレッドサーボ回路１７は、コンピュータ装置７０による指示により、前記インデックス信号ＩＮＤＥＸおよび回転信号φＡ，φＢを用いて、レーザ光の照射位置を光ディスクＤＫの径方向に指示された量だけ移動させる。
【００３４】
また、トラッキングエラー信号生成回路４３からのトラッキングエラー信号は、バンドパスフィルタ４９を介してスピンドルモータ制御回路１２にも供給される。バンドパスフィルタ４９は、トラッキングエラー信号からウォブル信号を抽出するものである。スピンドルモータ制御回路１２は、このウォブル信号を用いて、光ディスクＤＫのレーザ光の照射位置の線速度が常に一定となるようにスピンドルモータ１１の回転を制御する。なお、ウォブル信号とは、前記線速度一定でスピンドルモータ１１の回転を制御する目的で、光ディスクＤＫ上のトラックを微視的には径方向に正弦波状に波打って形成してあるために得られるものである。そして、このウォブル信号は、例えばＣＤでは２２．０５ＫＨｚ、ＤＶＤでは１５０ＫＨｚの正弦波状信号である。
【００３５】
また、この検査装置は、レーザ光の照射位置をトラックジャンプさせるための第１、第２および第３ジャンプ信号発生回路５１，５２，５３を有する。第１ジャンプ信号発生回路５１は、コンピュータ装置７０からの第１ジャンプ指令開始から同第１ジャンプ指令の終了まで、エンコーダ１１ａからのインデックス信号ＩＮＤＥＸの入力タイミングごとに同期して、第１ジャンプ信号ＪＵＭＰ１を発生してレーザ光の照射位置を光ディスクＤＫの径方向内側に１トラック分だけジャンプさせる。この第１ジャンプ信号ＪＵＭＰ１は、加算器４７を介してドライブ回路４８に供給されるもので、図１１に示すように、正パルスとその直後の負パルスとからなる。正パルスは対物レンズ２５を駆動してレーザ光の照射位置を光ディスクＤＫの内側へ１トラック分だけ移動させる機能を有し、負パルスは前記対物レンズ２５の移動にブレーキを付与するためのものである。
【００３６】
第２および第３ジャンプ信号発生回路５２，５３は、コンピュータ装置７０からの指令により、同指令後に始めてタイミング決定回路５４から入力されるパルス信号に同期して、第２および第３ジャンプ信号ＪＵＭＰ２，ＪＵＭＰ３をそれぞれ発生してレーザ光の照射位置を光ディスクＤＫの径方向に１トラック分だけジャンプさせる。この第２および第３ジャンプ信号ＪＵＭＰ２，ＪＵＭＰ３も、加算器４７を介してドライブ回路４８にそれぞれ供給される。第２ジャンプ信号ＪＵＭＰ２は、図１１に示すように、負パルスとその直後の正パルスとからなり、レーザ光の照射位置を光ディスクＤＫの径方向外側に１トラック分だけジャンプさせる。第３ジャンプ信号ＪＵＭＰ３は、正パルスとその直後の負パルスとからなり、レーザ光の照射位置を光ディスクＤＫの径方向内側に１トラック分だけジャンプさせる。これらの場合も、先に発生されるパルスは対物レンズ２５を駆動してレーザ光の照射位置を光ディスクＤＫの１トラック分だけ移動させる機能を有し、その直後に発生されるパルスは前記対物レンズ２５の移動にブレーキを付与するためのものである。
【００３７】
タイミング決定回路５４は、エンコーダ１１ａからのインデックス信号ＩＮＤＥＸによってリセットされるとともに、エンコーダ１１ａからの回転信号φＡ（または回転信号φＢ）をカウントするカウンタで構成されている。そして、カウント値が所定値に達した時点でパルス信号を第２および第３ジャンプ信号発生回路５２，５３に出力するとともに、同パルス信号をコンピュータ装置７０にも供給する（図１１参照）。
【００３８】
また、ＨＦ信号増幅回路４１には再生信号観測装置６０も接続されている。再生信号観測装置６０は、図３に示すように、再生信号生成回路６１、波形等化回路６２および２値化回路６３を備えている。再生信号生成回路６１は、フォトディテクタ素子２８ａ，２８ｂ，２８ｃ，２８ｄからの各検出信号（受光信号）Ａ，Ｂ，Ｃ，Ｄを全て加算して、同加算結果Ａ＋Ｂ＋Ｃ＋Ｄを再生信号（いわゆる、サム信号ＳＵＭ）として出力する。波形等化回路６２は、再生信号中の信号長（例えば、ＣＤの場合には３Ｔ〜１１Ｔ、ＤＶＤの場合には３Ｔ〜１１Ｔ，１４Ｔ）による振幅の差をなくすように波形整形する。なお、前記Ｔについては詳しく後述する。２値化回路６３は、波形等化回路６２からの再生信号をディジタルデータ化する。
【００３９】
波形等化回路６２の出力は波形特性評価装置６４に供給され、２値化回路６３の出力はジッタ計測装置６５、エラーレート算出回路６６およびコンピュータ装置７０に供給される。波形特性評価装置６４は、波形等化回路６２にて波形整形された再生信号の波形形状（例えば、波形の対称性）を計測して、再生信号の良否を判定する。ジッタ計測装置６５は、タイムインターバルアナライザ（ＴＩＡ）とも呼ばれるもので、２値化回路６３によって図１２（Ａ）に示すように２値化された再生信号を入力して、同信号のハイレベルおよびローレベルの時間を測定して、図１２（Ｂ）に示すようなヒストグラム（再生信号のハイレベルおよびローレベルの測定時間分布）を作成して、光ディスクＤＫのジッタを測定するものである。
【００４０】
光ディスクＤＫにおいては、通常、複数種類のビットを形成して所望のデータを記録しておくものであるが、このビットの種類（周方向の長さ）は予め決められている。そして、線速度一定で光ディスクを回転させた場合には、図１２（Ａ）に示すように、２値化された再生信号は、複数種類の時間幅を有するパルス列信号の組み合わせからなっている。例えば、ＣＤの場合、このパルス幅として、３Ｔから１１Ｔまでの９種類の信号が用いられる。ＤＶＤの場合には、３Ｔから１１Ｔまで、および１４Ｔの１０種類の信号が用いられる。したがって、２値化回路６３からの再生信号の各パルス幅を測定して、そのばらつきを調べることにより、光ディスクＤＫのジッタ値（各パルス幅のばらつき）を測定することができる。
【００４１】
エラーレート算出回路６６は、記録したディジタルデータと再生したディジタルデータとを比較して、再生したディジタルデータの誤り率を計算する。これらの波形特性評価装置６４、ジッタ計測装置６５およびエラーレート算出回路６６の測定結果は、コンピュータ装置７０に供給される。
【００４２】
コンピュータ装置７０は、図４〜図１０のプログラムを実行することにより、光ピックアップ２０を検査する。このコンピュータ装置７０には、キーボード、マウスなどからなる入力装置７１と、ＣＲＴまたは液晶ディスプレイからなる表示装置７２とが接続されている。
【００４３】
上記のように構成した実施形態の動作を説明する。まず、図示しない電源スイッチの投入により、コンピュータ装置７０を含む検査装置の各種回路の作動を開始させる。そして、作業者は、入力装置７１を操作することにより、光ピックアップ２０の検査モードを選択するとともに、各検査モードに必要なパラメータを設定する。本実施形態の場合、検査モードとしては、第１ないし第３モードが用意されている。この検査モードの選択およびパラメータの設定後、検査対象となる光ピックアップ２０を検査装置に組み付ける。なお、検査に利用されるＣＤ，ＤＶＤなどの記録可能な光ディスクＤＫが支持テーブル１３にセットされていれば、そのままでもよいが、新しい光ディスクＤＫを用いる場合には同新しい光ディスクＤＫが支持テーブル１３にセットされる。
【００４４】
そして、入力装置７１を操作することにより、この検査装置による光ピックアップ２０の検査開始を指示する。この指示に応答して、コンピュータ装置７０は、前記選択された検査モードに従って、第１モードプログラム（図４，５）、第２モードプログラム（図６，７）および第３モードプログラム（図８〜１０）のいずれかのプログラムを実行する。
【００４５】
ａ．第１モード
最初に、検査モードとして第１モードが選択されている場合について説明する。この第１モードは、１トラックずつ検査用データの記録および再生を繰り返して、複数トラックに対して検査用データを記録および再生するモードである。なお、この第１モードにおける前記パラメータの設定においては、光ディスクＤＫにおける検査用データの記録方向を外側方向にするか、内側方向にするかを選択する。また、１トラックに記録されている検査用データの再生回数ｍ、検査用データの記録トラック数ｎ（再生トラック数ｎと同じ）および検査用データを設定する。なお、「ｍ」は「１」以上の整数であり、「ｎ」は２以上の整数である。
【００４６】
光ピックアップ２０の前記検査開始の指示により、コンピュータ装置７０は、図４にて第１モードプログラムの実行を開始し、ステップ１０２にてスレッドサーボ回路１７を制御して、フィードモータ１４を作動させてレーザ光の照射位置を光ディスクＤＫにおける検査用データの記録開始位置の少し手前まで移動させる。この場合、前記パラメータ設定により、レーザ光の照射位置を１トラックずつ外側に移動させることが選択されていれば、最も内側のトラックから外側にレーザ光による照射位置を移動させる。逆に、レーザ光の照射位置を１トラックずつ内側に移動させることが選択されていれば、最も外側のトラックから内側にレーザ光による照射位置を移動させる。記録開始位置は、１つの光ピックアップ２０の検査終了時におけるステップ１５８の処理により、フィードモータ１４内のエンコーダ１４ａからのインデックス信号ＩＮＤＥＸを用いてコンピュータ装置７０内にて計算されて記憶されている前回終了位置により与えられる。また、再生信号中にアドレス信号が含まれている場合には、前記インデックス信号ＩＮＤＥＸを用いて計算された前回終了位置に代えて、このアドレス信号を記録開始位置として用いてもよい。
【００４７】
次に、ステップ１０４にて、スピンドルモータ制御回路１２にスピンドルモータ１１の回転開始指令を出力して、スピンドルモータ１１の回転を開始させる。そして、ステップ１０６にて、レーザパワー設定回路３２に再生用レーザパワー設定指令を出力する。これにより、レーザパワー設定回路３２はレーザ駆動回路３１を介してレーザ光源２１による再生用レーザ光の出射を制御し、光ディスクＤＫには再生用レーザ光が照射される。
【００４８】
この再生用レーザ光の照射により、光ディスクＤＫはレーザ光を反射し、この反射光は４分割フォトディテクタ２８により受光される。そして、受光した反射光を表す受光信号Ａ，Ｂ，Ｃ，Ｄは、ＨＦ信号増幅回路４１を介して、フォーカスエラー信号生成回路４２、トラッキングエラー信号生成回路４３および再生信号観測装置６０に供給される。フォーカスエラー信号生成回路４２は受光信号Ａ，Ｂ，Ｃ，Ｄに基づいてフォーカスエラー信号を生成し、フォーカスサーボ回路４４、ドライブ回路４５およびフォーカスアクチュエータ２９ａとの協働により対物レンズ２５をフォーカスサーボ制御し始める。
【００４９】
トラッキングエラー信号生成回路４３は受光信号Ａ，Ｂ，Ｃ，Ｄに基づいてトラッキングエラー信号を生成し、トラッキングサーボ回路４６、ドライブ回路４８およびトラッキングアクチュエータ２９ｂとの協働により対物レンズ２５をトラッキングサーボ制御する。また、トラッキングサーボ回路４６の出力はスレッドサーボ回路１７にも供給され、スレッドサーボ回路１７はフィードモータ１４との協働により光ディスクＤＫをスレッドサーボ制御し始める。さらに、トラッキングエラー信号生成回路４３からのトラッキングエラー信号はバンドパスフィルタ４９に供給される。バンドパスフィルタ４９は前記トラッキングエラー信号からウォブル信号を抽出して、スピンドルモータ制御回路１２に供給する。スピンドルモータ制御回路１２は、このウォブル信号を用いてスピンドルモータ１１の回転を制御して、レーザ光に対する光ディスクＤＫの周方向の線速度を一定に制御する。この光ディスクＤＫの回転により、レーザ光の照射位置は、図１３に矢印で示すように、光ディスクＤＫの外側に向けて螺旋状に回転移動する。
【００５０】
再生信号観測装置６０は、再生信号生成回路６１にて前記受光信号Ａ，Ｂ，Ｃ，Ｄに基づいて再生信号を生成する。この再生信号は、波形等化回路６２および２値化回路６３を介してコンピュータ装置７０に供給される。
【００５１】
コンピュータ装置７０は、前記ステップ１０６の処理後、ステップ１０８にて第１ジャンプ信号発生回路５１に第１ジャンプ開始指令信号を出力する。第１ジャンプ信号発生回路５１は、この第１ジャンプ開始指令信号を記憶し、以降、エンコーダ１１ａからのインデックス信号ＩＮＤＥＸに同期して第１ジャンプ信号ＪＵＰＭ１を加算器４７を介してドライブ回路４８に供給する（図１１参照）。これにより、以降、図１３に示すように、レーザ光の照射位置が光ディスクＤＫの所定周方向位置Ｘに到達するたびに、レーザ光の照射位置は径方向外側から内側に１トラック分ジャンプする。この第１ジャンプ信号ＪＵＭＰ１の発生により、後述する第２または第３ジャンプ信号ＪＵＭＰ２，ＪＵＭＰ３が発生されない限り、レーザ光の照射位置は同一トラックに維持される。
【００５２】
前記ステップ１０８の処理後、コンピュータ装置７０は、ステップ１１０にて再生信号観測装置６０の２値化回路６３からの再生信号の有無を判定することにより、光ディスクＤＫにおけるレーザ光の照射トラックにデータが記録されているか否かを判定する。そして、レーザ光の照射トラックにデータが記録されていれば、ステップ１１０にて「Ｙｅｓ」と判定して、ステップ１１２にて第２または第３ジャンプ信号発生回路５２，５３に第２または第３ジャンプ指令を出力する。この場合、前記パラメータ設定により、光ディスクＤＫにおける検査用データの記録方向を外側方向にすることが選択されていれば、第２ジャンプ指令が第２ジャンプ信号発生回路５２に供給される。逆に、光ディスクＤＫにおける検査用データの記録方向を内側方向にすることが選択されていれば、第３ジャンプ指令が第３ジャンプ信号発生回路５３に供給される。
【００５３】
第２ジャンプ指令が第２ジャンプ信号発生回路５２に供給された場合、第２ジャンプ信号発生回路５２は、タイミング決定回路５４からのパルス信号を待って同パルス信号に同期した第２ジャンプ信号ＪＵＭＰ２を加算器４７を介してドライブ回路４８に供給する。したがって、この場合には、図１３に示すように、レーザ光の照射位置が光ディスクＤＫの所定周方向位置Ｙに到達した時点で、レーザ光の照射位置は径方向内側から外側に１トラック分ジャンプする。なお、第２ジャンプ信号発生回路５２は、次に第２ジャンプ指令信号が供給されない限り、タイミング決定回路５４からパルス信号が供給されても第２ジャンプ信号ＪＵＭＰ２を発生することはない。
【００５４】
第３ジャンプ指令が第３ジャンプ信号発生回路５３に供給された場合、第３ジャンプ信号発生回路５３は、タイミング決定回路５４からのパルス信号を待って同パルス信号に同期した第３ジャンプ信号ＪＵＭＰ３を加算器４７を介してドライブ回路４８に供給する。したがって、この場合には、レーザ光の照射位置が光ディスクＤＫの所定周方向位置Ｙに到達した時点で、レーザ光の照射位置は径方向外側から内側に１トラック分ジャンプする。なお、第３ジャンプ信号発生回路５２も、次に第３ジャンプ指令信号が供給されない限り、タイミング決定回路５４からパルス信号が供給されても第３ジャンプ信号ＪＵＭＰ３を発生することはない。
【００５５】
前記ステップ１１２の処理後、コンピュータ装置７０は、ステップ１１４の判定処理により、タイミング決定回路５４からのパルス信号の到来を待ってステップ１１０に戻る。このようなステップ１１０〜１１４の処理により、データが記録されていないトラックが検出されるまで、レーザ光の照射位置が外側または内側へ１トラックずつ移動する。
【００５６】
データが記録されていないトラックに到達すると、コンピュータ装置７０は、ステップ１１０の判定処理により、ステップ１１６以降に進む。そして、コンピュータ装置７０は、ステップ１１６、１１８の判定処理により、エンコーダ１１ａからのインデックス信号ＩＮＤＥＸを待って、レーザパワー設定回路３２に記録用レーザパワー設定指令を出力するとともに、記録信号生成回路３３に検査用データと共に記録用信号供給指令を出力する。レーザパワー設定回路３２は、レーザ光源２１が前述した再生用パワーよりも大きな記録用パワーのレーザ光を出射するようにレーザ駆動回路３１を制御する。記録信号生成回路３３は、検査用データに従ったオン・オフ信号からなる記録用信号をレーザ駆動回路３１に出力して、レーザ光源２１が記録用信号に対応したパターンのレーザ光を出射するようにレーザ駆動回路３１を制御する。一方、前記ステップ１１６のインデックス信号ＩＮＤＥＸの到来時には、第１ジャンプ回路５１もエンコーダ１１ａからインデックス信号ＩＮＤＥＸを受け取り、レーザ光の照射位置を１トラック分内側に移動させる。したがって、検査用データは、前記ステップ１１０の処理により検出したデータ未記録のトラックに記録される。
【００５７】
前記ステップ１１６，１１８の処理後、コンピュータ装置７０は、ステップ１２０，１２２の処理により、エンコーダ１１ａからのインデックス信号ＩＮＤＥＸを待って、レーザパワー設定回路３２に再生用レーザパワー設定指令を出力するとともに、記録信号生成回路３３に記録用信号供給停止指令を出力する。レーザパワー設定回路３２は、レーザ光源２１が再生用パワーのレーザ光を出射するようにレーザ駆動回路３１を制御する。記録信号生成回路３３は、レーザ駆動回路３１の記録用信号の出力を中止する。これにより、検査用データは１トラックのみに記録され、光ピックアップ２０は再生用に切り換えられる。
【００５８】
一方、前記ステップ１２０のインデックス信号ＩＮＤＥＸの到来時には、第１ジャンプ回路５１もエンコーダ１１ａからインデックス信号ＩＮＤＥＸを受け取り、レーザ光の照射位置を１トラック分内側に移動させる。したがって、レーザ光の照射位置は検査用データを記録したトラックに維持され、前記記録された検査用データが再生され始める。
【００５９】
前記ステップ１２２の処理後、コンピュータ装置７０は、ステップ１２４〜１２８の処理により、コンピュータ装置７０に内蔵されたタイマを用いて、ゲート開始タイミングＧＴ１とゲート終了タイミングＧＴ２との間に挟まれたゲートタイム（図１１参照）中、再生信号観測装置６０内の波形特性評価装置６４、ジッタ計測装置６５およびエラーレート算出回路６６に再生信号の取込み指令を出力し続ける。この取込み指令に応答して、ゲートタイム中、波形特性評価装置６４は波形等化回路６２から供給される再生信号を取込み記憶し続けるとともに、ジッタ計測装置６５およびエラーレート算出回路６６は２値化回路６３から供給される再生信号を取込み記憶し続ける。
【００６０】
このようにゲートタイムを設けた理由は、レーザ光の照射トラックが変更されている間およびその直後には、再生信号が光ディスクＤＫに記録された検査用データとは無関係に大きく変動し、この大きな変動が光ピックアップ２０の検査に影響を与えないようにするためである。前記ステップ１２４，１２６の処理に用いるゲート開始タイミングＧＴ１とゲート終了タイミングＧＴ２については、随時入力されるインデックス信号ＩＮＤＥＸの間隔を用いて、レーザ光の径方向照射位置に応じて異なる値に決定される。これは、光ディスクＤＫの回転速度が線速度一定で制御されるので、レーザ光の径方向の照射位置に応じて光ディスクの回転速度が変化するからである。なお、ゲート開始タイミングＧＴ１とゲート終了タイミングＧＴ２との間のゲートタイムは、隣合うインデックス信号ＩＮＤＥＸの間の時間よりも短い時間であれば、作業者が任意に設定することも可能である。
【００６１】
また、これらのゲート開始タイミングＧＴ１およびゲート終了タイミングＧＴ２の計測をタイマによらずに、エンコーダ１１ａからの回転信号φＡ（または回転信号φＢ）を用いて計測するようにしてもよい。この場合、図１に破線で示すように、エンコーダ１１ａからの回転信号φＡ（または回転信号φＢ）をコンピュータ装置７０に導くようにする。そして、インデックス信号ＩＮＤＥＸの到来から回転信号φＡ（または回転信号φＢ）のパルス数をカウントして、同カウントしたパルス数が各所定値にそれぞれなったとき、ステップ１２４，１２６にてそれぞれ「ＹＥＳ」と判定するようにすればよい。この場合、回転信号φＡ（または回転信号φＢ）における光ディスクＤＫの１回転当りのパルス数は、光ディスクＤＫの回転速度とは無関係に常に一定であるので、光ディスクＤＫの回転速度が変化しても、パルス数と比較する各所定値を変更しなくてもよい。
【００６２】
前記ゲートタイムが経過すると、コンピュータ装置７０は、ステップ１２６にて「Ｙｅｓ」と判定して、図５のステップ１３０に進む。ステップ１３０においては、コンピュータ装置７０は再生信号観測装置６０内の波形特性評価装置６４、ジッタ計測装置６５およびエラーレート算出回路６６に再生信号の測定処理指令を出力する。その後、コンピュータ装置１３２は、ステップ１３２にて波形特性評価装置６４、ジッタ計測装置６５およびエラーレート算出回路６６による再生信号の測定処理の終了を待つ。
【００６３】
一方、波形特性評価装置６４、ジッタ計測装置６５およびエラーレート算出回路６６は、前記取込み記憶した再生信号の波形形状、ジッタ値および誤り率をそれぞれ測定する。そして、波形特性評価装置６４、ジッタ計測装置６５およびエラーレート算出回路６６は、前記測定を終了すると、前記取込み記憶した再生信号をクリアするとともに、測定結果および測定終了信号をコンピュータ装置７０に供給する。コンピュータ装置７０は、ステップ１３２にて前記測定終了信号に基づいて「Ｙｅｓ」と判定し、ステップ１３４にて前記測定結果を表すデータをメモリ内に記憶する。
【００６４】
前記ステップ１３４の測定結果の記憶後、ステップ１３６にて、カウント値ＣＮＴ１を「１」だけカウントアップする。なお、このカウント値ＣＮＴ１は同一トラックの記録検査データを測定した回数を計測するもので、初期に「０」に設定されている。そして、ステップ１３８にて、カウント値ＣＮＴ１が設定パラメータ値ｍに等しいかを判定することにより、前記１トラックに関する再生信号の測定をｍ回繰り返したか、すなわちステップ１２４〜１３４の処理をｍ回繰り返したかを判定する。１トラックに関する再生信号の測定がｍ回に達していなければ、ステップ１３８にて「Ｎｏ」と判定して、ステップ１４０の処理により、エンコーダ１１ａからのインデックス信号ＩＮＤＥＸ信号の到来を待って、ステップ１２４〜１３４からなる１トラック分の再生信号の取込みおよび測定を再度行う。この場合、前記ステップ１４０の処理時に、第１ジャンプ信号発生回路５１もエンコーダ１１ａからのインデックス信号ＩＮＤＥＸの到来によりレーザ光の照射位置を内側に１トラック分移動させるので、前回再生および測定した検査用データと同一の検査用データを再生および測定することになる。
【００６５】
そして、１トラックに関する再生信号の測定がｍ回に達すると、ステップ１３８にて「Ｙｅｓ」と判定して、ステップ１４２にてカウント値ＣＮＴ１を「０」にクリアしてステップ１４４以降にすすむ。その結果、コンピュータ装置７０には、同一のトラックに記録した検査用データのｍ回の再生測定結果が記憶される。図１１は、パラメータ値ｍが「２」に設定された場合における再生信号の取込みおよび測定処理について示している。図１３においては、実線により１回目の検査用データの記録および再生状態を示し、破線により２回目の検査用データの記録および再生状態を示している。
【００６６】
前記ステップ１４２の処理後、ステップ１４４にてカウント値ＣＮＴ２を「１」だけカウントアップする。なお、このカウント値ＣＮＴ２は、検査用データを記録および再生したトラック数を計測するもので、初期には「０」に設定されている。そして、ステップ１４６にて、カウント値ＣＮＴ２が設定パラメータ値ｎに等しいかを判定することにより、検査用データを記録および再生したトラック数がｎトラックであるか、すなわちステップ１１０〜１５０の処理をｎ回繰り返したかを判定する。検査用データを記録および再生したトラック数がｎトラックに達していなければ、ステップ１４６にて「Ｎｏ」と判定して、前記図４のステップ１１２，１１４の処理と同様なステップ１４８，１５０の処理を実行して、レーザ光の照射位置を外側または内側に１トラックだけ移動させる。
【００６７】
そして、前述したステップ１１０〜１５０の繰り返し処理により、検査用データを記録および再生したトラック数がｎトラックに達すると、ステップ１４６にて「Ｙｅｓ」と判定して、ステップ１５２にてカウント値ＣＮＴ２を「０」にクリアして、ステップ１５４以降の処理を実行する。ステップ１５４においては、第１ジャンプ停止指令を第１ジャンプ信号発生回路５１に出力する。これにより、第１ジャンプ信号発生回路５１は、エンコーダ１１ａからインデックス信号ＩＮＤＥＸが入力されても、第１ジャンプ信号ＪＵＭＰ１を発生しなくなる。次に、ステップ１５６にて、レーザパワーのオフ指令をレーザパワー設定回路３２に出力する。これにより、レーザパワー設定回路３２は、レーザ駆動回路３１を介してレーザ光源２１を制御して、レーザ光源２１によるレーザ光の出射を停止させる。
【００６８】
前記ステップ１５６の処理後、ステップ１５８において、コンピュータ装置７０は、光ディスクＤＫにおける検査用データの記録終了位置を取込んで保存しておく。この記録終了位置は、図示しないプログラム処理により、エンコーダ１４ａからのインデックス信号ＩＮＤＥＸを入力して、同インデックス信号ＩＮＤＥＸをカウントすることにより計算される。また、これに代えて、再生信号から光ディスクＤＫのアドレスを検出できる場合には、同検出アドレスを検査用データの記録終了位置とすることもできる。
【００６９】
前記ステップ１５８の処理後、ステップ１６０にてスピンドルモータ１１の回転終了指令をスピンドルモータ制御回路１２に出力して、スピンドルモータ１１の作動を停止させる。次に、ステップ１６２にて、前記ステップ１３４の処理によって記憶されているｎトラックに渡る１トラック当たりｍ回の再生信号観測装置６０による測定結果を処理するとともに評価して、最終的な評価結果を表示装置７２に表示する。そして、ステップ１６４にてこの第１モードプログラムの実行を終了する。
【００７０】
この第１モードプログラムの実行後、作業者は、前記表示装置７２による評価結果に基づき、光ピックアップ２０の良否を判断する。なお、光ピックアップ２０の良否の判定までプログラム処理によって行い、同良否を表示装置７２に表示するようにしてもよい。そして、新たな光ピックアップ２０を次々に検査装置に組み付けて、上述の第１モードプログラムの実行により新たな光ピックアップ２０の良否を次々に検査する。
【００７１】
上記説明からも理解できるように、この第１モードプログラムの実行によれば、図４のステップ１０２〜１１４の処理により、レーザ光の照射位置を光ディスクＤＫにおける検査用データの記録開始位置（前回の検査用データの終了位置）の少し手前の位置まで初期に移動させ、その後、レーザ光の照射位置を１トラックずつ前記初期移動方向に移動しながら、光ピックアップ２０による再生信号に基づいて光ディスクＤＫ上における記録データの存在を確認する。そして、前記確認によって光ディスクＤＫ上における記録データの存在が確認されなくなったとき、ステップ１１６以降の処理を実行して、光ピックアップ２０による検査用データの光ディスクＤＫへの記録を開始させる。したがって、これによれば、検査用データは、光ディスクＤＫにおける既にデータが記録されているトラックの次のトラックから確実に記録されるので、光ディスクＤＫの記録可能領域が消耗されることが防止される。その結果、光ピックアップの検査のために、光ディスクが有効に利用される。
【００７２】
また、上記第１モードプログラムの実行によれば、ステップ１１０〜１５０の処理により、光ピックアップ２０によるレーザ光の照射位置を１トラック分ジャンプさせて検査用データを光ディスクに１トラック分記録させ、その後に、同検査用データを記録したトラックにレーザ光の照射位置を戻して検査用データを再生信号の評価のために再生させる処理を繰り返し実行する。これによれば、複数トラック分の検査用データが１トラックごとに再生されるので、利用する光ディスク側のキズなどの不具合と、光ピックアップの不良との区別を行うことができる。その結果、光ピックアップ２０の検査が的確に行われるようになる。
【００７３】
なお、上記第１モードプログラムにおいては、ステップ１２４〜１４０の処理により１トラック分の検査データを再生するごとに測定する処理を繰り返し行って、１回記録した検査データに対して複数回の再生による測定結果を導き出すようにした。しかし、これに代えて、１トラック分の検査データを連続して複数回再生するとともに同複数回再生したデータをそれぞれ記憶した後、最後に１回だけ前記記録した検査データに対して複数回の再生に基づく測定結果を導き出すようにしてもよい。
【００７４】
ｂ．第２モード
次に、検査モードとして第２モードが選択されている場合について説明する。この第２モードは、複数トラックに検査用データを連続して記録し、その後、１トラックずつ検査用データを再生するモードである。なお、この第２モードにおける前記パラメータの設定においても、光ディスクＤＫにおける検査用データの記録方向を外側方向にするか、内側方向にするかを選択する。また、１トラックに記録されている検査用データの再生回数ｍ、および連続して検査用データを記録するトラック数ｎおよび検査用データを設定する。なお、「ｍ」は「１」以上の整数であり、「ｎ」は２以上の整数である。
【００７５】
この第２モードにおいては、コンピュータ装置７０は、図６にて第２モードプログラムの実行を開始し、上述したステップ１０２〜１１４と同様なステップ２０２〜２１４の実行により、レーザ光の照射位置を光ディスクＤＫにおける前回までの検査用データの記録開始位置の少し手前まで移動させた後、１トラックずつ再生信号の有無を判定して、データの未記録トラックまでレーザ光の照射位置を移動する。
【００７６】
データが記録されていないトラックに到達すると、コンピュータ装置７０は、ステップ２１６にて検査用データの記録トラック数をカウントするためのカウント値ＣＮＴ２を「０」にクリアしておく。次に、上述したステップ１１６〜１２２の処理と同様なステップ２１８，２２０，２２４，２２６の処理により、検査用データを１トラックに記録する。この記録の際には、ステップ２２２の処理により、カウント値ＣＮＴ２を「１」だけカウントアップさせておく。
【００７７】
次に、ステップ２２８にて、カウント値ＣＮＴ２が設定パラメータ値ｎに等しいかを判定することにより、検査用データのｎ個のトラックへの記録が終了したかを判定する。検査用データのｎ個のトラックへの記録が終了していなければ、ステップ２２８にて「Ｎｏ」と判定して、前記ステップ２１２の処理と同様なステップ２３０の処理により、初期のパラメータ設定で設定した方向にレーザ光の照射位置をジャンプさせて、ステップ２１８に戻る。そして、これらのステップ２１８〜２３０の処理により、検査用データのｎ個のトラックへの記録が終了すると、ステップ２２８にて「Ｙｅｓ」と判定してステップ２３２に進む。このｎトラックの検査用データの記録状態を図１４に示してある。なお、図１４中、実線は検査用データを記録したトラックを示し、破線はデータの未記録トラックを示している。
【００７８】
ステップ２３２においては、カウント値ＣＮＴ２を「０」にクリアする。そして、前記ステップ２１２，２１４の処理と同種のステップ２３４，２３６の処理によりレーザ光の照射位置を前記検査用データの記録開始位置のトラックに戻す。したがって、この場合のステップ２３４の処理は、前記ステップ２１２の処理とは逆方向にレーザ光の照射位置をジャンプさせるものである。すなわち、初期のパラメータ設定で光ディスクＤＫにおける検査用データの記録方向を外側方向にすることが選択されていれば、第３ジャンプ信号を出力してレーザ光の照射位置を内側に１トラックだけジャンプさせる。逆に、初期のパラメータ設定で光ディスクＤＫにおける検査用データの記録方向を内側方向にすることが選択されていれば、第２ジャンプ信号を出力してレーザ光の照射位置を外側に１トラックだけジャンプさせる。
【００７９】
これらのステップ２３４，２３６の処理後、ステップ２３８にてカウント値ＣＮＴ２を「１」だけカウントアップさせ、ステップ２４０にてカウント値ＣＮＴ２が設定パラメータ値ｎよりも「１」だけ小さな値ｎ−１に等しいかを判定する。すなわち、レーザ光の照射位置が前記検査用データの記録開始位置のトラックに戻されたかを判定する。レーザ光の照射位置が前記検査用データの記録開始位置のトラックに戻されない間、ステップ２４０における「Ｎｏ」の判定のもとにステップ２３４〜２４０からなる循環処理を繰り返し実行して、レーザ光の照射位置を前記検査用データの記録方向と反対方向に１トラックずつ移動する。そして、レーザ光の照射位置が前記検査用データの記録開始位置のトラックに戻されると、ステップ２４０にて「Ｙｅｓ」と判定し、ステップ２４２にてカウント値ＣＮＴ２を「０」にクリアして図７のステップ２４４以降に進む。
【００８０】
ステップ２４４においてはエンコーダ１１ａからのインデックス信号ＩＮＤＥＸを待ってステップ２４６以降の処理に進む。ステップ２４６〜２６０の処理は上述したステップ１２４〜１３８の処理と同じであり、これにより、前記記録した１トラック分の検査用データを１トラックずつ再生するとともに測定し、その再生および測定回数を判定する。１トラック分の検査用データの再生および測定が設定パラメータ値ｍに達するまで、ステップ２４４〜２６０の循環処理を繰り返す。１トラック分の検査用データの再生および測定が設定パラメータ値ｍに達すると、ステップ２６０にて「Ｙｅｓ」と判定して、ステップ２６２〜２６６の処理を実行する。
【００８１】
ステップ２６２〜２６６の処理は、上述した１４２〜１４６の処理と同じであり、これにより、ｎトラック分の検査用データの再生および測定が終了したかを判定する。ｎトラック分の検査用データの再生および測定が終了していなければ、ステップ２６６にて「Ｎｏ」と判定して、上述したステップ１４８，１５０と同様なステップ２６８，２７０の処理を実行して、初期にパラメータ設定により設定した方向にレーザ光の照射位置を１トラックだけジャンプさせる。そして、ステップ２４４に戻り、ｎトラック分の検査用データの再生および測定が終了するまで、ステップ２４４〜２７０の循環処理を繰り返す。この循環処理により、ｎトラック分の検査用データの再生および測定が終了すると、ステップ２６６にて「Ｙｅｓ」と判定し、上述したステップ１５２〜１６２の処理と同様なステップ２７２〜２８０からなる終了処理を実行して、ステップ２８４にてこの第２モードプログラムの実行を終了する。
【００８２】
この第２モードプログラムの実行後も、作業者は、前記表示装置７２による評価結果に基づき、光ピックアップ２０の良否を判断する。また、この場合も、上記第１モードの場合と同様に、光ピックアップ２０の良否の判定までプログラム処理により行うようにしてもよい。そして、新たな光ピックアップ２０を次々に検査装置に組み付けて、上述の第２モードプログラムの実行により新たな光ピックアップ２０の良否を次々に検査する。
【００８３】
上記説明からも理解できるように、この第２モードプログラムの実行によっても、図６のステップ２０２〜２１４の処理により、上記第１モードの場合と同様に、検査用データは、光ディスクＤＫにおける既にデータが記録されているトラックの次のトラックから確実に記録されるので、光ディスクＤＫの記録可能領域が消耗されることが防止される。その結果、光ピックアップの検査のために、光ディスクが有効に利用される。
【００８４】
また、上記第２モードプログラムの実行によれば、ステップ２１６〜２３０の処理により、ｎトラック（複数のトラック）に検査用データを連続的に記録し、その後に、ステップ２３２〜２４０の処理によりレーザ光の照射位置を前記検査用データの記録開始位置のトラックに戻した。そして、ステップ２４２〜２７０の処理により前記複数トラックに記録した検査用データを１トラックずつ再生するとともに、同再生信号を測定した。これによれば、複数トラック分の検査用データが１トラックごとに再生されるので、利用する光ディスク側のキズなどの不具合と、光ピックアップの不良との区別を行うことができる。その結果、光ピックアップ２０の検査が的確に行われるようになる。
【００８５】
なお、上記第２モードプログラムにおいても、ステップ２４２〜２７０の処理により１トラック分の検査データを再生するごとに測定する処理を繰り返し行うようにした。しかし、これに代えて、１トラック分の検査データを連続して複数回再生するとともに同複数回再生したデータをそれぞれ記憶しておいた後、最後に１回だけ前記記録した検査データに対して複数回の再生に基づく測定結果を導き出すようにしてもよい。
【００８６】
ｃ．第３モード
次に、検査モードとして第３モードが選択されている場合について説明する。この第３モードは、隣接トラックにデータが記録されていない場合と、隣接トラックにデータが記録されている場合とに分けて、検査用データを再生および測定するモードである。なお、この第３モードにおける前記パラメータの設定においても、光ディスクＤＫにおける検査用データの記録方向を外側方向にするか、内側方向にするかを選択する。また、１トラックに記録されている検査用データの再生回数ｍも設定する。「ｍ」は「１」以上の整数である。
【００８７】
この第３モードにおいては、コンピュータ装置７０は、図８にて第３モードプログラムの実行を開始し、上述したステップ１０２〜１１４と同様なステップ３０２〜３１４の実行により、レーザ光の照射位置を光ディスクＤＫにおける前回までの検査用データの記録開始位置の少し手前まで移動させた後、１トラックずつ再生信号の有無を判定して、データの未記録トラックまでレーザ光の照射位置を移動する。
【００８８】
データが記録されていないトラックに到達すると、コンピュータ装置７０は、ステップ３１０にて「Ｙｅｓ」と判定し、前記ステップ３１２，３１４の処理とそれぞれ同様なステップ３１６，３１８およびステップ３２２，３２４の処理により、レーザ光の照射位置を初期パラメータによる設定方向（ステップ３１２の処理による方向と同じ）にそれぞれ１トラックずつ、合計２トラック分ジャンプさせる。これらのジャンプ処理中においても、前記ステップ３１０と同様なステップ３２０，３２６の処理により再生信号の有無、すなわちジャンプしたトラックのデータの未記録が判定される。ステップ３２０，３２６の処理によって「Ｎｏ」すなわちデータが未記録でないと判定されると、ステップ３１２に戻って、ステップ３１０〜３１４の処理がやり直される。
【００８９】
これらのステップ３１０〜３２６の処理は、データが未記録である連続した３トラックを探すものである。そして、該当する３トラックが見つかると、ステップ３２８にてエンコーダ１１ａからのインデックス信号ＩＮＤＥＸを待って、ステップ３３０にて第３または第２ジャンプ指令を出力する。このステップ３３０の処理は、前記ステップ３１２，３１６、３２２の処理により３トラック分ジャンプさせたレーザ光の照射位置を、中央のトラックに戻す処理である。したがって、初期に設定したパラメータに応じて、前記ステップ３１２，３１６、３２２の処理によりレーザ光の照射位置が外側にジャンプした場合には、第３ジャンプ指令が第３ジャンプ信号発生回路５３に出力されて、レーザ光の照射位置は内側にジャンプする。逆に、前記ステップ３１２，３１６、３２２の処理によりレーザ光の照射位置が内側にジャンプした場合には、第２ジャンプ指令が第２ジャンプ信号発生回路５３に出力されて、レーザ光の照射位置は外側にジャンプする。
【００９０】
このステップ３３０処理後、上述したステップ１１６〜１２２と同様なステップ３３２〜３３８の処理により前記中央の１トラックに検査用データを記録する。次に、上述したステップ１２４〜１４０と同様なステップ３４０〜３５６の循環処理により前記記録した１トラック分の検査用データをｍ回再生するとともに、同再生信号を測定する。
【００９１】
前記ステップ３４０〜３５６からなる循環処理により、前記中央トラックに記録した検査用データのｍ回の再生および測定が終了して、カウント値ＣＮＴ１がパラメータ値ｍに達すると、ステップ３５４にて「Ｙｅｓ」と判定して、ステップ３５８に進む。ステップ３５８においては、このカウント値ＣＮＴ１が「０」にクリアされる。そして、ステップ３６０にて、前記中央トラックの両側のトラックにデータを記録した後に、中央トラックに記録した検査用データをふたたび再生するとともに、同再生信号を測定するために用いられるカウント値ＣＮＴ３が「１」であるかを判定する。なお、このカウント値ＣＮＴ３は、初期には「０」に設定されているものである。したがって、この場合には、ステップ３６０にて「Ｎｏ」と判定して、図１０のステップ３６２にてカウント値ＣＮＴ３を「１」だけカウントアップして、ステップ３６４〜３９２の処理を実行する。
【００９２】
ステップ３６４〜３７４の処理は、前記ステップ３２８〜３３８の処理と同種の処理であり、これにより、レーザ光の照射位置を中央トラックから１トラックだけ内側にジャンプさせて、検査用データを記録する。ただし、この場合のステップ３６６の処理は、初期に設定されたパラメータによらず、レーザ光の照射位置を単に内側に移動させればよいので、第３ジャンプ指令を第３ジャンプ信号発生回路５３に出力すればよい。
【００９３】
ステップ３７６〜３８８の処理も、前記ステップ３２８〜３３８の処理と同種の処理であり、これにより、レーザ光の照射位置を中央トラックの内側のトラックから２トラックだけ外側にジャンプさせて、検査用データを記録する。ただし、この場合のステップ３７６，３８０の処理は、初期に設定されたパラメータによらず、レーザ光の照射位置を単に外側に移動させればよいので、第２ジャンプ指令を第２ジャンプ信号発生回路５２に出力すればよい。前記ステップ３７６〜３８８の処理後、ステップ３９０にて第３ジャンプ指令を第３ジャンプ信号発生回路５３に出力してレーザ光の照射位置を中央のトラックに戻し、ステップ３９２にてエンコーダ１１ａからのインデックス信号ＩＮＤＥＸの到来を待って図９のステップ３４０に戻る。
【００９４】
なお、これらのステップ３６４〜３９２の処理に代えて、中央トラックから１トラックだけ外側のトラックに先に検査用データを記録し、その後に中央トラックの１トラックだけ内側に検査用データを記録し、最後にレーザ光の照射位置を１トラックだけ外側に移動して中央トラックに戻すこともできる。この場合、ステップ３６６にて第２ジャンプ指令を第２ジャンプ信号発生回路５２に出力し、ステップ３７６，３８０にて第３ジャンプ指令を第３ジャンプ信号発生回路５３に出力し、ステップ３９０にて第２ジャンプ指令を第２ジャンプ信号発生回路５２に出力すればよい。また、このように、中央トラックの両側のトラックに記録するデータはどのようなものでもよく、特に検査用データを利用する必要もない。
【００９５】
前記ステップ３４０への復帰により、コンピュータ装置７０は、前述したステップ３４０〜３５６からなる循環処理の実行により、中央トラックに記録されている検査用データの再生及び測定をｍ回行う。このｍ回の再生および測定後、ステップ３５４にて「Ｙｅｓ」と判定して、ステップ３５８のカウント値ＣＮＴ１のクリア後、ステップ３６０の前記判定処理を実行する。この場合、カウント値ＣＮＴ３は前記ステップ３６２の処理により「１」にカウントアップされているので、ステップ３６０にて「Ｙｅｓ」と判定する。そして、ステップ３９４にてカウント値ＣＮＴ３を「０」にクリアした後、上述したステップ１５４〜１６２の処理と同様なステップ３９６〜４０４からなる終了処理を実行して、ステップ４０６にてこの第３モードプログラムの実行を終了する。
【００９６】
この第３モードプログラムの実行後も、作業者は、前記表示装置７２による測定結果に基づき、光ピックアップ２０の良否を判断する。また、この場合も、上記第１および第２モードプログラムの場合と同様に、光ピックアップ２０の良否の判定までプログラム処理によって行うようにしてもよい。そして、新たな光ピックアップ２０を次々に検査装置に組み付けて、上述の第３モードプログラムの実行により新たな光ピックアップ２０の良否を次々に検査する。
【００９７】
上記説明からも理解できるように、この第１モードプログラムの実行によれば、図８のステップ３０２〜３２６の処理により、レーザ光の照射位置を光ディスクＤＫにおける検査用データの記録開始位置（前回の検査用データの終了位置）の少し手前の位置まで初期に移動させ、その後、レーザ光の照射位置を１トラックずつ前記初期移動方向に移動しながら、光ピックアップ２０による記録データの再生信号に基づいて光ディスクＤＫ上における記録データの存在を確認する。そして、前記確認によって光ディスクＤＫ上における記録データの存在が３トラック連続して確認されなくなったとき、ステップ３２８〜３３８の処理により、光ピックアップ２０による検査用データを前記３トラックの中央トラックへ記録する。したがって、これによれば、検査用データは、光ディスクＤＫにおける既にデータが記録されているトラックの次のトラックから確実に記録されるので、光ディスクＤＫの記録可能領域が消耗されることが防止される。その結果、光ピックアップの検査のために、光ディスクが有効に利用される。
【００９８】
また、この第３モードプログラムの実行によれば、ステップ３２８〜３５６の処理により、データを未記録な３トラックの中央トラックにだけ検査用データを記録するとともに、同記録した検査用データを再生して評価した。その後、ステップ３６０〜３９２，３４０〜３５６の処理により、前記中央トラックの両側のトラックに検査用データを記録した後、前記中央トラックに記録した検査用データをふたたび再生して評価した。これにより、隣接トラックにデータが記録されている場合と、記録されていない場合とに分けて、検査用データの再生および評価が行われるので、光ピックアップ２０は隣接トラックのデータの有無を考慮して検査され、光ピックアップの検査が的確に行われる。
【００９９】
なお、この第３モードにおいては、１トラック分の検査用データの再生および評価のみを行うようにしたが、上記第１および第２モードのように複数トラック分の検査用データの再生および評価を行うようにしてもよい。この場合、上記第１および第２モードの場合と同様に、検査用データの再生および評価を行うトラック数ｎ（２以上の整数）を設定しておき、上記第１および第２モードの場合と同様な方法により、ステップ３１０〜３９２の処理をｎ回繰り返し行うようにすればよい。
【０１００】
また、この場合も、上記第１および第２モードの場合と同様に、１トラック分の検査データを連続して複数回再生するとともに同複数回再生したデータを記憶しておいた後、最後に１回だけ前記記録した検査データに対して複数回の再生に基づく測定結果を導き出すようにしてもよい。
【０１０１】
さらに、本発明の実施にあたっては、上記実施形態及びその変形例に限定されるものではなく、本発明の目的を逸脱しない限りにおいて種々の変更が可能である。
【０１０２】
例えば、上記実施形態においては、一つの光ピックアップ２０に対して第１〜第３モードプログラムのうちで一つのプログラムのみを適用して、光ピックアップ２０を検査するようにした。しかし、一つの光ピックアップ２０に対して、第１〜第３モードプログラムのうちで２つ以上のプログラムを適用して、一つの光ピックアップ２０を検査するようにしてもよい。
【０１０３】
また、上記実施形態においては、トラックジャンプを行わなければ、光ディスクＤＫの回転に伴い、レーザ光の照射位置を光ディスクＤＫの内側から外側に順次移動するようにした。しかし、本発明は、トラックジャンプを行わない場合には、光ディスクＤＫの回転に伴い、レーザ光の照射位置が光ディスクＤＫの外側から内側に順次移動する場合にも適用される。この場合、同一トラック上にレーザ光の照射位置を保つための第１ジャンプ信号発生回路５１として、第２ジャンプ信号発生回路５２のように光ディスクＤＫが１回転するごとに、レーザ光の照射位置が内側から外側に１トラックだけ変化させるトラックジャンプ回路を利用すればよい。
【０１０４】
また、上記実施形態においては、光ピックアップ２０と光ディスクＤＫとの径方向相対位置を変化させるために、フィードモータ１４、スクリューロッド１５、支持部材１６などからなるフィード機構を用いてスピンドルモータ１１及び支持テーブル１３を移動させるようにした。しかし、これに代えて、光ピックアップ２０全体をフィード機構により光ディスクＤＫの径方向に移動させるようにして、光ピックアップ２０と光ディスクＤＫとの径方向相対位置を変化させるようにしてもよい。
【図面の簡単な説明】
【図１】本発明の一実施形態に係る光ピックアップの検査装置の全体を概略的に示すブロック図である。
【図２】図１の４分割フォトディテクタの概略図である。
【図３】図１の再生信号観測装置の詳細ブロック図である。
【図４】図１のコンピュータ装置によって実行される第１モードプログラムの前半部分を示すフローチャートである。
【図５】図１のコンピュータ装置によって実行される第１モードプログラムの後半部分を示すフローチャートである。
【図６】図１のコンピュータ装置によって実行される第２モードプログラムの前半部分を示すフローチャートである。
【図７】図１のコンピュータ装置によって実行される第２モードプログラムの後半部分を示すフローチャートである。
【図８】図１のコンピュータ装置によって実行される第３モードプログラムの前半部分を示すフローチャートである。
【図９】図１のコンピュータ装置によって実行される第３モードプログラムの後半部分を示すフローチャートである。
【図１０】図１のコンピュータ装置によって実行される第３モードプログラムの中間部分を示すフローチャートである。
【図１１】図１の各部における信号波形のタイムチャートである。
【図１２】ジッタの測定例を説明するための一例を示す説明図である。
【図１３】第１モードにおけるトラックジャンプ動作を説明するための説明図である。
【図１４】第２モードにおけるトラックジャンプ動作を説明するための説明図である。
【符号の説明】
ＤＫ…光ディスク、１１…スピンドルモータ、１４…フィードモータ、２０…光ピックアップ、２１…レーザ光源、２７…４分割フォトディテクタ、３１…レーザ駆動回路、４２…フォーカスエラー信号生成回路、４４…トラッキングエラー信号生成回路、５１…第１ジャンプ信号発生回路、５２…第２ジャンプ信号発生回路、５３…第３ジャンプ信号発生回路、６０…再生信号観測装置、７０…コンピュータ装置。
【図１】
2004280978.tif 000003
【図２】
2004280978.tif 000004
【図３】
2004280978.tif 000005
【図４】
2004280978.tif 000006
【図５】
2004280978.tif 000007
【図６】
2004280978.tif 000008
【図７】
2004280978.tif 000009
【図８】
2004280978.tif 000010
【図９】
2004280978.tif 000011
【図１０】
2004280978.tif 000012
【図１１】
2004280978.tif 000013
【図１２】
2004280978.tif 000014
【図１３】
2004280978.tif 000015
【図１４】
2004280978.tif 000016